(57)【要約】【課題】簡単な構成で、外部電源ラインへの伝導ノイズの流出を抑制することのできる貯湯式給湯機を提供する。【解決手段】貯湯式給湯機１は、水を加熱する加熱ユニット２と、加熱ユニット２により加熱された湯を貯留する貯湯タンク１４を有し、加熱ユニット２とは別体となったタンクユニット３と、加熱ユニット２からタンクユニット３へ電力を供給するユニット間電源ラインとを備える。加熱ユニット２は、外部電源ラインから電力供給を受ける加熱ユニット電源部５と、加熱ユニット電源部５から電力供給を受けて加熱ユニット２を動作させる加熱ユニット運転部６と、加熱ユニット電源部５と加熱ユニット運転部６との間をつなぐ第一電源ライン７とを有する。加熱ユニット電源部５は、外部電源ラインへ流出する伝導ノイズを抑制する流出ノイズフィルター２２を有する。ユニット間電源ラインは、第一電源ライン７から分岐している。【選択図】図１
2020133965.tif 000002
【特許請求の範囲】
【請求項１】
水を加熱する加熱ユニットと、
前記加熱ユニットにより加熱された湯を貯留する貯湯タンクを有し、前記加熱ユニットとは別体となったタンクユニットと、
前記加熱ユニットから前記タンクユニットへ電力を供給するユニット間電源ラインと、
を備え、
前記加熱ユニットは、
外部電源ラインから電力供給を受ける加熱ユニット電源部と、
前記加熱ユニット電源部から電力供給を受けて前記加熱ユニットを動作させる加熱ユニット運転部と、
前記加熱ユニット電源部と前記加熱ユニット運転部との間をつなぐ第一電源ラインと、
を有し、
前記加熱ユニット電源部は、前記外部電源ラインへ流出する伝導ノイズを抑制する流出ノイズフィルターを有し、
前記ユニット間電源ラインは、前記第一電源ラインから分岐している貯湯式給湯機。
【請求項２】
前記加熱ユニット電源部は、前記外部電源ラインから侵入する伝導ノイズを抑制する侵入ノイズフィルターを有する請求項１に記載の貯湯式給湯機。
【請求項３】
前記ユニット間電源ラインの一部を形成し、前記加熱ユニットに接続される第一端と前記タンクユニットに接続される第二端とを有するユニット間電源ケーブルを備え、
前記ユニット間電源ケーブルの導体断面積は、前記外部電源ラインを形成する外部電源ケーブルの導体断面積よりも小さい請求項１または請求項２に記載の貯湯式給湯機。
【請求項４】
前記ユニット間電源ラインの一部を形成し、前記加熱ユニットに接続される第一端と前記タンクユニットに接続される第二端とを有するユニット間電源ケーブルを備え、
前記加熱ユニットは、
前記外部電源ラインを形成する外部電源ケーブルが接続される外部電源端子台と、
前記ユニット間電源ケーブルの前記第一端が接続される電源供給端子台と、
を有し、
前記タンクユニットは、前記ユニット間電源ケーブルの前記第二端が接続されるタンクユニット電源端子台を有し、
前記電源供給端子台の定格電流値は、前記外部電源端子台の定格電流値よりも小さく、
前記タンクユニット電源端子台の定格電流値は、前記外部電源端子台の定格電流値よりも小さい請求項１から請求項３のいずれか一項に記載の貯湯式給湯機。
【請求項５】
前記タンクユニットは、
前記ユニット間電源ラインから電力供給を受けるタンクユニット電源部と、
前記タンクユニット電源部から電力供給を受けて前記タンクユニットを動作させるタンクユニット運転部と、
を有し、
前記タンクユニット電源部は、伝導ノイズを抑制するタンクユニットノイズフィルターを有し、
前記タンクユニットノイズフィルターの定格電流値は、前記流出ノイズフィルターの定格電流値よりも小さい請求項１から請求項４のいずれか一項に記載の貯湯式給湯機。
【請求項６】
前記タンクユニットは、
前記ユニット間電源ラインから電力供給を受けるタンクユニット電源部と、
前記タンクユニット電源部から電力供給を受けて前記タンクユニットを動作させるタンクユニット運転部と、
を有し、
前記タンクユニット電源部は、伝導ノイズを抑制するタンクユニットノイズフィルターを有し、
前記タンクユニットノイズフィルターは、前記流出ノイズフィルターとは異なる特性を有する請求項１から請求項５のいずれか一項に記載の貯湯式給湯機。
【請求項７】
前記貯湯式給湯機を遠隔操作するリモートコントローラーに対して、前記タンクユニットを介することなく前記加熱ユニットから電力を供給可能である請求項１から請求項６のいずれか一項に記載の貯湯式給湯機。
【請求項８】
前記加熱ユニット電源部は、前記外部電源ラインから供給される交流電力を直流電力に変換する電力変換部を有し、
前記加熱ユニットから前記タンクユニットへ前記ユニット間電源ラインにより直流電力を供給する請求項１から請求項７のいずれか一項に記載の貯湯式給湯機。
【請求項９】
前記ユニット間電源ラインを流れる電流が、前記外部電源ラインから前記加熱ユニットへ流れる電流よりも低い値になるように構成されている請求項１から請求項８のいずれか一項に記載の貯湯式給湯機。
【発明の詳細な説明】
【技術分野】
【０００１】
本発明は、貯湯式給湯機に関する。
【背景技術】
【０００２】
貯湯タンクを備えた貯湯式給湯機が広く用いられている。特許文献１には、室内機と室外機を有する冷暖房機において、電源ラインから侵入するインパルスノイズを吸収するノイズフィルターを設ける技術が開示されている。
【先行技術文献】
【特許文献】
【０００３】
【特許文献１】特開平１−２６６４６０号公報
【発明の概要】
【発明が解決しようとする課題】
【０００４】
貯湯式給湯機において、例えばヒートポンプ方式の加熱手段のようにインバーター制御などを行う機器から外部電源ラインへ伝導ノイズが流出する可能性がある。他の機器に影響しないようにするためには、貯湯式給湯機から外部電源ラインへ伝導ノイズが流出することを抑制することが望まれる。上述した従来の技術では、外部電源ラインへの伝導ノイズの流出を抑制することについて考慮されていない。
【０００５】
本発明は、上述のような課題を解決するためになされたもので、簡単な構成で、外部電源ラインへの伝導ノイズの流出を抑制することのできる貯湯式給湯機を提供することを目的とする。
【課題を解決するための手段】
【０００６】
本発明に係る貯湯式給湯機は、水を加熱する加熱ユニットと、加熱ユニットにより加熱された湯を貯留する貯湯タンクを有し、加熱ユニットとは別体となったタンクユニットと、加熱ユニットからタンクユニットへ電力を供給するユニット間電源ラインと、を備え、加熱ユニットは、外部電源ラインから電力供給を受ける加熱ユニット電源部と、加熱ユニット電源部から電力供給を受けて加熱ユニットを動作させる加熱ユニット運転部と、加熱ユニット電源部と加熱ユニット運転部との間をつなぐ第一電源ラインと、を有し、加熱ユニット電源部は、外部電源ラインへ流出する伝導ノイズを抑制する流出ノイズフィルターを有し、ユニット間電源ラインは、第一電源ラインから分岐しているものである。
【発明の効果】
【０００７】
本発明によれば、簡単な構成で、外部電源ラインへの伝導ノイズの流出を抑制することのできる貯湯式給湯機を提供することが可能となる。
【図面の簡単な説明】
【０００８】
【図１】実施の形態１による貯湯式給湯機を示す図である。
【図２】実施の形態２による貯湯式給湯機を示す図である。
【図３】実施の形態３による貯湯式給湯機を示す図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による貯湯式給湯機１を示す図である。図１に示すように、貯湯式給湯機１は、水を加熱する加熱ユニット２と、タンクユニット３と、ユニット間電源ケーブル４とを備えている。加熱ユニット２とタンクユニット３とは、別体となっており、互いに離れた位置に設置可能である。すなわち、加熱ユニット２の外郭を形成する筐体と、タンクユニット３の外郭を形成する筐体とは、別々に設けられている。ユニット間電源ケーブル４は、加熱ユニット２からタンクユニット３へ電力を供給するユニット間電源ラインの一部を形成している。
【００１１】
加熱ユニット２は、例えばヒートポンプ方式の加熱装置でもよいし、太陽熱を用いる加熱装置でもよいし、燃料電池の廃熱を用いる加熱装置でもよいし、複数の方式を組み合わせた加熱装置でもよい。ヒートポンプ方式の場合には、加熱ユニット２は、例えば、冷媒を圧縮する圧縮機と、圧縮機により圧縮された高温高圧の冷媒と水との間で熱を交換する水冷媒熱交換器と、水冷媒熱交換器を通過した高圧冷媒を減圧及び膨張させる減圧装置と、減圧装置を通過した低圧冷媒と外気との間で熱を交換することにより低圧冷媒を蒸発させる蒸発器とを備える。
【００１２】
本実施の形態における加熱ユニット２は、加熱ユニット電源部５と、加熱ユニット運転部６と、加熱ユニット電源部５と加熱ユニット運転部６との間をつなぐ第一電源ライン７と、外部電源端子台８と、電源供給端子台９とを備えている。外部電源端子台８には、外部電源ケーブル１０が接続されている。外部電源５０から供給される電力は、外部電源ケーブル１０を通って、外部電源端子台８に供給される。外部電源５０は、例えば商用電源である。外部電源５０は、例えば、単相交流１００ボルトの電源、単相交流２００ボルトの電源、三相交流２００ボルトの電源のいずれかでもよい。また、外部電源５０の周波数は、例えば、５０ヘルツまたは６０ヘルツでもよい。本実施の形態では、外部電源ケーブル１０により外部電源ラインが形成される。
【００１３】
電源ライン１１は、加熱ユニット電源部５と、外部電源端子台８との間をつないでいる。本実施の形態では、外部電源ケーブル１０から供給される電力は、外部電源端子台８及び電源ライン１１を通って、加熱ユニット電源部５に供給される。加熱ユニット運転部６は、加熱ユニット電源部５から第一電源ライン７を通って供給される電力を利用して、加熱ユニット２を動作させる。電源ライン１２は、第一電源ライン７の途中にある分岐部１３と、電源供給端子台９との間をつないでいる。
【００１４】
図示を省略するが、加熱ユニット運転部６は、例えば、加熱ユニット２が備える圧縮機、ポンプ、バルブなどの機器を駆動する電動機のようなアクチュエータと、アクチュエータの動作を制御する制御装置とを有している。制御装置は、インバーター装置によりアクチュエータの動作速度を制御してもよい。インバーター装置は、加熱ユニット電源部５から供給される交流電力を直流電力に変換するコンバーター回路と、コンバーター回路からコンデンサを介して供給される直流電力を交流電力に変換するインバーター回路とを有している。また、加熱ユニット運転部６は、例えば温度センサ、圧力センサ、流量センサなどのセンサを備えていてもよい。
【００１５】
タンクユニット３は、加熱ユニット２により加熱された湯を貯留する貯湯タンク１４と、タンクユニット電源部１５と、タンクユニット運転部１６と、タンクユニット電源端子台１７を有している。貯湯タンク１４内には、温度による水の比重の違いにより、上側が高温で下側が低温になる温度成層を形成して、湯水が貯留される。加熱ユニット２とタンクユニット３との間は、湯水が通る外部配管（図示省略）により接続されている。また、図示を省略するが、上水道のような水源からの水を供給する給水配管と、加熱ユニット２へ水を送るための配管とが貯湯タンク１４の下部に接続されており、加熱ユニット２からの湯すなわち高温水が通る配管と、給湯先へ湯を送るための配管とが貯湯タンク１４の上部に接続されている。加熱ユニット２により加熱された高温水を貯湯タンク１４内に蓄積する沸上運転のときには、貯湯タンク１４内の下部の低温水が上記外部配管を通って加熱ユニット２へ送られる。加熱ユニット２により加熱された高温水は、上記外部配管を通ってタンクユニット３へ戻り、貯湯タンク１４の上部に流入する。このようにして、沸上運転では、貯湯タンク１４内の上部から下部に向かって徐々に高温水が蓄積されていく。
【００１６】
ユニット間電源ケーブル４は、加熱ユニット２の電源供給端子台９に接続された第一端４ａと、タンクユニット電源端子台１７に接続された第二端４ｂとを有している。電源ライン１８は、タンクユニット電源部１５と、タンクユニット電源端子台１７との間をつないでいる。加熱ユニット電源部５からの電力は、分岐部１３、電源ライン１２、電源供給端子台９、ユニット間電源ケーブル４、タンクユニット電源端子台１７、及び電源ライン１８を通って、タンクユニット電源部１５に供給される。
【００１７】
タンクユニット運転部１６は、加熱ユニット電源部５から供給される電力を利用して、タンクユニット３を動作させる。図示を省略するが、タンクユニット運転部１６は、例えば、タンクユニット３が備えるポンプ、流路切替弁、混合弁などの機器を駆動する電動機のようなアクチュエータと、アクチュエータの動作を制御する制御装置とを有している。制御装置は、インバーター装置によりアクチュエータの動作速度を制御してもよい。また、タンクユニット運転部１６は、例えば温度センサ、圧力センサ、流量センサなどのセンサを備えていてもよい。タンクユニット運転部１６が備える制御装置と、加熱ユニット運転部６が備える制御装置とは、有線通信または無線通信により、双方向に通信可能になっている。本実施の形態では、タンクユニット運転部１６が備える制御装置と、加熱ユニット運転部６が備える制御装置とが連携して貯湯式給湯機１の動作を制御する。
【００１８】
リモートコントローラー２０は、使用者が貯湯式給湯機１を遠隔操作するための端末装置である。リモートコントローラー２０は、運転動作指令及び設定値の変更などに関する使用者の操作を受け付ける機能を有する。本実施の形態において、リモートコントローラー２０は、配線２３を介して、タンクユニット運転部１６が備える制御装置に接続されている。リモートコントローラー２０は、タンクユニット運転部１６から配線２３を介して電力供給を受けることで動作する。図示を省略するが、リモートコントローラー２０には、例えば、貯湯式給湯機１の状態等の情報を表示する表示部、使用者が操作するスイッチ等の操作部、スピーカ、マイク等が搭載されている。リモートコントローラー２０は、例えば台所、リビング、浴室などの壁に設置されてもよい。
【００１９】
本実施の形態において、電源ライン１２、電源供給端子台９、及びユニット間電源ケーブル４は、加熱ユニット２からタンクユニット３へ電力を供給するユニット間電源ラインに相当する。前述したように、ユニット間電源ラインを形成する電源ライン１２は、第一電源ライン７の途中に設けられた分岐部１３から分岐している。このため、加熱ユニット電源部５を通過した電流がユニット間電源ラインを通ってタンクユニット３へ供給される。
【００２０】
本実施の形態における加熱ユニット電源部５は、外部電源ラインから侵入する伝導ノイズを抑制する侵入ノイズフィルター２１と、外部電源ラインへ流出する伝導ノイズを抑制する流出ノイズフィルター２２とを有している。
【００２１】
外部電源ケーブル１０から加熱ユニット２へ流れる電流には、外部電源５０に接続された他の機器からのノイズ、あるいは雷等によるノイズが重畳されている可能性がある。これらの伝導ノイズを以下「侵入ノイズ」と称する。侵入ノイズフィルター２１は、外部電源ラインから流入した交流電流から、侵入ノイズによるノイズ成分の少なくとも一部を除去する。本実施の形態であれば、侵入ノイズフィルター２１により侵入ノイズが除去された電流を加熱ユニット運転部６及びタンクユニット運転部１６のそれぞれに供給することができる。このため、加熱ユニット運転部６及びタンクユニット運転部１６のそれぞれが侵入ノイズによって誤動作したり故障したりする可能性を確実に低減できる。
【００２２】
侵入ノイズフィルター２１は、高周波ノイズ、パルス性ノイズ、サージ性ノイズのうちの少なくとも一つのノイズを除去するように構成されている。侵入ノイズフィルター２１は、例えば、コモンモードチョークコイル、Ｘコンデンサ、Ｙコンデンサのうちの少なくとも一つを備えていてもよい。また、侵入ノイズフィルター２１は、例えばバリスタ、アレスタのようなサージ対策素子を備えていてもよい。
【００２３】
加熱ユニット運転部６が動作すると、加熱ユニット運転部６が電気的なノイズを発生させる可能性がある。例えば、加熱ユニット運転部６のインバーター装置が電気的なノイズを発生させる可能性がある。同様に、タンクユニット運転部１６が動作すると、タンクユニット運転部１６が電気的なノイズを発生させる可能性がある。本実施の形態であれば、加熱ユニット運転部６で発生したノイズ成分の少なくとも一部は、加熱ユニット運転部６と外部電源ケーブル１０との間の電源ラインに位置する流出ノイズフィルター２２により除去される。このため、加熱ユニット運転部６で発生したノイズが外部電源ラインへ流出することを確実に抑制でき、他の機器への影響を確実に抑制できる。同様に、タンクユニット運転部１６で発生したノイズ成分の少なくとも一部は、タンクユニット運転部１６と外部電源ケーブル１０との間の電源ラインに位置する流出ノイズフィルター２２により除去される。このため、タンクユニット運転部１６で発生したノイズ外部電源ラインへ流出することを確実に抑制でき、他の機器への影響を確実に抑制できる。
【００２４】
流出ノイズフィルター２２は、高周波ノイズ、パルス性ノイズの少なくとも一方のノイズを除去するように構成されている。流出ノイズフィルター２２は、加熱ユニット運転部６で発生するノイズと、タンクユニット運転部１６で発生するノイズとの双方を除去するように構成されている。流出ノイズフィルター２２は、例えば、コモンモードチョークコイル、Ｘコンデンサ、Ｙコンデンサのうちの少なくとも一つを備えていてもよい。
【００２５】
本実施の形態であれば、加熱ユニット運転部６から外部電源ラインへの伝導ノイズの流出と、タンクユニット運転部１６から外部電源ラインへの伝導ノイズの流出との双方を、一つの流出ノイズフィルター２２によって抑制することができる。このため、簡単な構成で、外部電源ラインへの伝導ノイズの流出を確実に抑制することができるので、製造コストを低減する上で有利になる。また、本実施の形態であれば、侵入ノイズフィルター２１とは別に流出ノイズフィルター２２を設けたことで、外部電源ラインへの伝導ノイズの流出をより確実に抑制できる。
【００２６】
本実施の形態では、外部電源ケーブル１０から加熱ユニット２へ供給された電力のうち、一部の電力は加熱ユニット運転部６により消費され、残りの電力がユニット間電源ラインを通ってタンクユニット３へ供給される。このため、ユニット間電源ラインを流れる電流は、外部電源ケーブル１０から加熱ユニット２へ流れる電流よりも低い値になる。例えば、ユニット間電源ラインを流れる交流電流の実効値は、外部電源ケーブル１０から加熱ユニット２へ流れる交流電流の実効値よりも低くなる。これにより、ユニット間電源ラインを構成する機器として、許容電流または定格電流が比較的低いものを用いることができるので、機器を簡素化できるという利点がある。
【００２７】
例えば、ユニット間電源ケーブル４の導体断面積は、外部電源ケーブル１０の導体断面積よりも小さくてもよい。導体断面積とは、長手方向に対して垂直な断面における金属等の導体部分の面積である。上記のようにすることで、ユニット間電源ケーブル４として、外部電源ケーブル１０よりも細い線径のものを使用することができるので、ユニット間電源ケーブル４を接続する際の施工性を向上できる。
【００２８】
また、外部電源端子台８、電源供給端子台９、タンクユニット電源端子台１７のそれぞれに定格電流値が定められている場合において、電源供給端子台９の定格電流値が外部電源端子台８の定格電流値よりも小さく、かつタンクユニット電源端子台１７の定格電流値が外部電源端子台８の定格電流値よりも小さくなるようにしてもよい。上記のようにすることで、電源供給端子台９及びタンクユニット電源端子台１７を小型化したり構造を簡単にしたりする上で有利になる。
【００２９】
なお、分岐部１３と電源供給端子台９との間の位置、すなわち電源ライン１２の途中の位置に、ノイズフィルター（図示省略）が設けられていてもよい。当該ノイズフィルターを設けることで、加熱ユニット運転部６で発生したノイズがタンクユニット３側へ流出することをより確実に抑制できる。
【００３０】
実施の形態２．
次に、図２を参照して、実施の形態２について説明するが、前述した実施の形態１との相違点を中心に説明し、前述した要素と共通または対応する要素には、同一の符号を付して、重複する説明を簡略化または省略する。図２は、実施の形態２による貯湯式給湯機１Ａを示す図である。図２に示すように、本実施の形態の貯湯式給湯機１Ａにおけるタンクユニット電源部１５は、伝導ノイズを抑制するタンクユニットノイズフィルター２４を有している。タンクユニットノイズフィルター２４は、流出ノイズフィルター２２とは異なる特性を有している。例えば、タンクユニットノイズフィルター２４が抑制する信号の周波数帯は、流出ノイズフィルター２２が抑制する信号の周波数帯とは異なる。本実施の形態であれば、タンクユニット運転部１６で発生したノイズ成分の少なくとも一部は、タンクユニット運転部１６と外部電源ケーブル１０との間の電源ラインに位置するタンクユニットノイズフィルター２４により除去される。このため、タンクユニット運転部１６で発生したノイズが外部電源ラインへ流出することをより確実に抑制でき、他の機器への影響をより確実に抑制できる。特に、タンクユニット運転部１６が特徴的なノイズを発生する場合、あるいはユニット間電源ケーブル４の長さが長い場合などにおいても、ノイズが外部電源ラインへ流出することをより確実に抑制できる。
【００３１】
タンクユニットノイズフィルター２４を通過した電流のうち、一部の電流は加熱ユニット運転部６へ流れ、残りの電流がユニット間電源ライン及びタンクユニットノイズフィルター２４を通ってタンクユニット運転部１６へ流れる。このため、タンクユニットノイズフィルター２４を流れる電流は、流出ノイズフィルター２２を流れる電流よりも低い値になる。そこで、タンクユニットノイズフィルター２４の定格電流値が流出ノイズフィルター２２の定格電流値よりも小さくなるように構成してもよい。そのようにすることで、タンクユニットノイズフィルター２４のコストを低減する上で有利になる。
【００３２】
本実施の形態において、リモートコントローラー２０は、配線２５を介して、加熱ユニット運転部６が備える制御装置に接続されている。リモートコントローラー２０は、加熱ユニット運転部６から配線２５を介して電力供給を受けることで動作する。このように、本実施の形態では、リモートコントローラー２０に対して、タンクユニット３を介することなく加熱ユニット２から電力を供給可能である。これにより、以下の効果が得られる。ユニット間電源ケーブル４に断線が発生した場合でも、リモートコントローラー２０への電力供給を維持することができる。よって、その場合に、リモートコントローラー２０の表示部あるいは音声案内機能などの報知手段を用いて、異常の発生を使用者に報知することができる。
【００３３】
実施の形態３．
次に、図３を参照して、実施の形態３について説明するが、前述した実施の形態１との相違点を中心に説明し、前述した要素と共通または対応する要素には、同一の符号を付して、重複する説明を簡略化または省略する。図３は、実施の形態３による貯湯式給湯機１Ｂを示す図である。図３に示すように、本実施の形態の貯湯式給湯機１Ｂにおける加熱ユニット電源部５は、外部電源ラインから供給される交流電力を直流電力に変換する電力変換部２６を有している。電力変換部２６は、侵入ノイズフィルター２１及び流出ノイズフィルター２２を通過した交流電力を直流電力に変換する。電力変換部２６を経た直流電力のうち、一部の直流電力は、第一電源ライン７を通って加熱ユニット運転部６へ供給され、残りの直流電力は、第一電源ライン７の途中の分岐部１３から電源ライン１２、電源供給端子台９、ユニット間電源ケーブル４、タンクユニット電源端子台１７、電源ライン１８、及びタンクユニット電源部１５を通って、タンクユニット運転部１６に供給される。このように、本実施の形態では、加熱ユニット２からタンクユニット３に対してユニット間電源ラインにより直流電力を供給する。本実施の形態であれば、交流電力を直流電力に変換する電力変換部２６を、加熱ユニット２とタンクユニット３とで共用できる。これにより、貯湯式給湯機１Ｂの全体としての回路構成を簡素化できるという利点がある。
【００３４】
なお、上述した複数の実施の形態のうち、組み合わせることが可能な二つ以上を組み合わせて実施してもよい。
【符号の説明】
【００３５】
１，１Ａ，１Ｂ  貯湯式給湯機、  ２  加熱ユニット、  ３  タンクユニット、  ４  ユニット間電源ケーブル、  ４ａ  第一端、  ４ｂ  第二端、  ５  加熱ユニット電源部、  ６  加熱ユニット運転部、  ７  第一電源ライン、  ８  外部電源端子台、  ９  電源供給端子台、  １０  外部電源ケーブル、  １１  電源ライン、  １２  電源ライン、  １３  分岐部、  １４  貯湯タンク、  １５  タンクユニット電源部、  １６  タンクユニット運転部、  １７  タンクユニット電源端子台、  １８  電源ライン、  ２０  リモートコントローラー、  ２１  侵入ノイズフィルター、  ２２  流出ノイズフィルター、  ２３  配線、  ２４  タンクユニットノイズフィルター、  ２５  配線、  ２６  電力変換部、  ５０  外部電源
【図１】
2020133965.tif 000003
【図２】
2020133965.tif 000004
【図３】
2020133965.tif 000005